(57)【要約】【課題】膨大なカタログ情報を集中して記憶する必要を無くして簡素なシステム構成を実現し得て、しかも、検索や表示・再表示の利用勝手を向上することができる電子カタログ表示システムを提供する。【解決手段】提供者ＰＣ１１，１２，１３と参照者ＰＣ１４とが電気通信回線を通じて接続されると共に、提供者ＰＣ１１，１２，１３には提供者の作成によるカタログ情報が格納され、参照者ＰＣ１４から提供者ＰＣ１１，１２，１３に閲覧要求が到来した場合に提供者ＰＣ１１，１２，１３から参照者ＰＣ１４にカタログ情報がダウンロードされる電子カタログ表示システムであって、参照者ＰＣ１４は、カタログ情報をダウンロードした際には各商品情報毎に対応するユニークＩＤを付与し、カタログ情報の閲覧を終了した際にはカタログ情報を消去すると共にユニークＩＤのみを格納する。【選択図】      図１
2010277423.tif 000002
【特許請求の範囲】
【請求項１】
提供者ＰＣと参照者ＰＣとが電気通信回線を通じて接続されると共に、前記提供者ＰＣには提供者の作成によるカタログ情報が格納され、前記参照者ＰＣから前記提供者ＰＣに閲覧要求が到来した場合に前記提供者ＰＣから前記参照者ＰＣに前記カタログ情報がダウンロードされる電子カタログ表示システムであって、
前記参照者ＰＣは、前記カタログ情報をダウンロードした際には各商品情報毎に対応するユニークＩＤを付与し、前記カタログ情報の閲覧を終了した際には前記カタログ情報を消去すると共に前記ユニークＩＤのみを格納することを特徴とする電子カタログ表示システム。
【請求項２】
前記参照者ＰＣは、前記カタログ情報の各商品情報毎に対応した前記ユニークＩＤを前記提供者ＰＣにアップロードすることを特徴とする請求項１に記載の電子カタログ表示システム。
【請求項３】
前記提供者ＰＣには前記カタログ情報に関する商品検索用の複数項目からなるカード型インデックス情報が作成・格納され、前記参照者ＰＣから前記提供者ＰＣに閲覧要求が到来した場合には、前記提供者ＰＣに格納された前記カード型インデックス情報が前記参照者ＰＣにダウンロードされた後、前記参照者ＰＣで前記カード型インデックス情報を利用して選択された条件に適合した前記カタログ情報が前記提供者ＰＣから前記参照者ＰＣにダウンロードされることを特徴とする請求項１又は請求項２に記載の電子カタログ表示システム。
【請求項４】
前記提供者ＰＣと前記参照者ＰＣとが電気通信回線を通じて管理者サイトに接続され、前記参照者ＰＣから前記管理者サイトを経由して前記提供者ＰＣに閲覧要求が到来した場合には、前記提供者ＰＣに格納されたカード型インデックス情報が前記管理者サイトを経由して前記参照者ＰＣにダウンロードされた後、前記参照者ＰＣで前記カード型インデックス情報を利用して選択された条件に適合した前記カタログ情報が前記提供者ＰＣから前記管理者サイトを経由して前記参照者ＰＣにダウンロードされることを特徴とする請求項１又は請求項２に記載の電子カタログ表示システム。
【請求項５】
前記参照者ＰＣには、前記提供者ＰＣで作成・格納されたカード型インデックス情報とは別に、前記カタログ情報に対応する商品検索用の複数項目からなるカード型インデックス情報が作成・格納され、前記参照者ＰＣで作成・格納された前記カード型インデックス情報を利用して選択された条件に適合した前記カタログ情報が該当する前記提供者ＰＣから前記参照者ＰＣにダウンロードされることを特徴とする請求項３又は請求項４に記載の電子カタログ表示システム。
【請求項６】
前記提供者ＰＣと前記参照者ＰＣの少なくとも一方又は前記管理者サイトには、複数項目毎に対応する曖昧語彙が格納され、前記提供者ＰＣで作成・格納された前記カード型インデックス情報と前記参照者ＰＣで作成・格納された前記カード型インデックス情報との間で商品検索用の複数項目中に該当する曖昧語彙が存在していた場合には、前記提供者ＰＣと前記参照者ＰＣとの間又は前記提供者ＰＣと前記参照者ＰＣと前記管理者サイトとの間では、相互に条件適合を可能とすることを特徴とする請求項５に記載の電子カタログ表示システム。
【請求項７】
前記カード型インデックス情報には、絞り込み検索用のキーワード入力部が設けられていることを特徴とする請求項３乃至請求項６の何れかに記載の電子カタログ表示システム。
【請求項８】
前記提供者ＰＣは、前記カタログ情報又は前記提供者ＰＣに対して守秘設定が可能であることを特徴とする請求項１乃至請求項７の何れかに記載の電子カタログ表示システム。
【発明の詳細な説明】
【技術分野】
【０００１】
本発明は、Ｗｅｂを利用して提供者ＰＣから提供されたカタログを閲覧する電子カタログ表示システムに関する。
【背景技術】
【０００２】
従来から、Ｗｅｂを利用して提供者ＰＣから提供されたカタログを閲覧する電子カタログ表示システムが知られている（例えば、特許文献１参照。）。
【０００３】
この際、電子カタログ表示システムは、例えば、カタログサーバと、ＲＳＳサーバと、カタログサーバ及びＲＳＳサーバと通信を行ってカタログ情報やユーザ登録情報を管理する管理データベース（ＤＢ）と、を備え、契約した提供者ＰＣと契約した参照者ＰＣとの間での電子カタログ情報の送受信を司る。
【０００４】
カタログサーバは、ＲＳＳリーダーと変換ツールとを備え、ＲＳＳリーダーを利用したＲＳＳファイルの収集や変換ツールを利用した情報の登録・更新およびポータルサイトの立ち上げを実現する。
【０００５】
ＲＳＳサーバは、参照者が選択したポートレットに対応するＲＳＳファイルが格納されている。
【０００６】
提供者ＰＣは、インターネット回線を通じて電子カタログ表示システムと通信をすることでＲＳＳサーバとの間でのＲＳＳファイルの受け渡しを行う。
【０００７】
参照者ＰＣは、電子カタログ表示システムに個人アカウントを有すると共にＲＳＳリーダーがインストールされており、インターネット回線を通じて電子カタログ表示システムへアクセスすることにより、ＲＳＳリーダーを利用してＲＳＳサーバに格納されているＲＳＳファイルを読み取ることで最新のカタログ情報を取得することができる。
【先行技術文献】
【特許文献】
【０００８】
【特許文献１】特開２００８−０９７１６２号公報
【発明の概要】
【発明が解決しようとする課題】
【０００９】
ところが、上記の如く構成された電子カタログ表示システムにあっては、契約した多数の提供者のカタログ情報がＲＳＳサーバに一括集中して格納されるため、大容量の記憶ディスク等を必要とするうえ、検索時間やカタログ表示時間が長くなり、しかも、検索ヒット件数が多すぎて再検索等が必要となるなど、利用勝手を損なうといった問題が生じていた。
【００１０】
また、ダウンロードされたカタログ情報は、所謂キャッシュ等によって参照者ＰＣのＨＤＤ（ハードディスクドライブ）に記憶されるため、カタログ情報のヒット件数が膨大な場合には、参照者ＰＣのＨＤＤの記憶領域を一時的に占有してしまうばかりでなく、再注文時等には、その再注文時までの間に他のキャッシュによって上書きされてしまううえ、結果的に同じ作業を繰り返してカタログ情報を表示しなければならないといった問題が生じていた。
【００１１】
そこで、本発明は、上記事情を考慮し、膨大なカタログ情報を集中して記憶する必要を無くして簡素なシステム構成を実現し得て、しかも、検索や表示・再表示の利用勝手を向上することができる電子カタログ表示システムを提供することを目的とする。
【課題を解決するための手段】
【００１２】
本発明の電子カタログ表示システムは、提供者ＰＣと参照者ＰＣとが電気通信回線を通じて接続されると共に、前記提供者ＰＣには提供者の作成によるカタログ情報が格納され、前記参照者ＰＣから前記提供者ＰＣに閲覧要求が到来した場合に前記提供者ＰＣから前記参照者ＰＣに前記カタログ情報がダウンロードされる電子カタログ表示システムであって、前記参照者ＰＣは、前記カタログ情報をダウンロードした際には各商品情報毎に対応するユニークＩＤを付与し、前記カタログ情報の閲覧を終了した際には前記カタログ情報を消去すると共に前記ユニークＩＤのみを格納することを特徴とする。
【００１３】
この際、前記参照者ＰＣは、前記カタログ情報の各商品情報毎に対応した前記ユニークＩＤを前記提供者ＰＣにアップロードするのが好ましい。
【００１４】
また、前記提供者ＰＣには前記カタログ情報に関する商品検索用の複数項目からなるカード型インデックス情報が作成・格納され、前記参照者ＰＣから前記提供者ＰＣに閲覧要求が到来した場合には、前記提供者ＰＣに格納された前記カード型インデックス情報が前記参照者ＰＣにダウンロードされた後、前記参照者ＰＣで前記カード型インデックス情報を利用して選択された条件に適合した前記カタログ情報が前記提供者ＰＣから前記参照者ＰＣにダウンロードされるのが好ましい。
【００１５】
また、前記提供者ＰＣと前記参照者ＰＣとが電気通信回線を通じて管理者サイトに接続され、前記参照者ＰＣから前記管理者サイトを経由して前記提供者ＰＣに閲覧要求が到来した場合には、前記提供者ＰＣに格納されたカード型インデックス情報が前記管理者サイトを経由して前記参照者ＰＣにダウンロードされた後、前記参照者ＰＣで前記カード型インデックス情報を利用して選択された条件に適合した前記カタログ情報が前記提供者ＰＣから前記管理者サイトを経由して前記参照者ＰＣにダウンロードされるのが好ましい。
【００１６】
また、前記参照者ＰＣには、前記提供者ＰＣで作成・格納されたカード型インデックス情報とは別に、前記カタログ情報に対応する商品検索用の複数項目からなるカード型インデックス情報が作成・格納され、前記参照者ＰＣで作成・格納された前記カード型インデックス情報を利用して選択された条件に適合した前記カタログ情報が該当する前記提供者ＰＣから前記参照者ＰＣにダウンロードされるのが好ましい。
【００１７】
また、前記提供者ＰＣと前記参照者ＰＣの少なくとも一方又は前記管理者サイトには、複数項目毎に対応する曖昧語彙が格納され、前記提供者ＰＣで作成・格納された前記カード型インデックス情報と前記参照者ＰＣで作成・格納された前記カード型インデックス情報との間で商品検索用の複数項目中に該当する曖昧語彙が存在していた場合には、前記提供者ＰＣと前記参照者ＰＣとの間又は前記提供者ＰＣと前記参照者ＰＣと前記管理者サイトとの間では、相互に条件適合を可能とするのが好ましい。
【００１８】
さらに、前記カード型インデックス情報には、絞り込み検索用のキーワード入力部が設けられているのが好ましい。
【００１９】
しかも、前記提供者ＰＣは、前記カタログ情報又は前記提供者ＰＣに対して守秘設定が可能であるのが好ましい。
【発明の効果】
【００２０】
本発明の電子カタログ表示システムは、膨大なカタログ情報を集中して記憶する必要を無くして簡素なシステム構成を実現し得て、しかも、検索や表示・再表示の利用勝手を向上することができる。
【図面の簡単な説明】
【００２１】
【図１】本発明の一実施形態を示す電子カタログ表示システムのブロック説明図である。
【図２】本発明の一実施形態を示す電子カタログ表示システムにおける項目選択時の画面表示例の説明図である。
【図３】本発明の一実施形態を示す電子カタログ表示システムにおけるカタログ一覧の画面表示例の説明図である。
【図４】本発明の一実施形態を示す電子カタログ表示システムにおけるデータフォーマット例を示し、（Ａ）は検索時、（Ｂ）はカタログ情報ダウンロード時、（Ｃ）は参照終了時の説明図である。
【発明を実施するための形態】
【００２２】
図１において、１１，１２，１３は、本発明に関わる提供者側のＰＣ（以下、「提供者ＰＣ」と称する。）、１４は本発明に関わる参照者側のＰＣ（以下、「参照者ＰＣ」と称する。）、１５は管理者サイト（ポータルサイト／管理者ＰＣ）である。
【００２３】
（提供者ＰＣ１１，１２，１３の機能）
提供者ＰＣ１１，１２，１３は、例えば、複数の組合員が加入する組合等で所有する汎用のパーソナルコンピュータが用いられており、組合等毎に任意のプロバイダと契約することによりインターネット網ＩＮに接続することが可能となっている。また、提供者ＰＣ１１，１２，１３は、契約したプロバイダで割り当てられた記憶部１１ａ，１２ａ，１３ａを所有しており、インターネット網ＩＮに常時接続されて提供者ＰＣ１１，１２，１３のＯＮ／ＯＦＦに拘わらず、インターネット情報等のアクセスが可能となっている。さらに、各提供者ＰＣ１１，１２，１３では、組合員又は組合管理者が作成したカタログ情報が作成され、記憶部１１ａ，１２ａ，１３ａに格納されている。各提供者ＰＣ１１，１２，１３では、カタログ情報に関する商品検索用の複数項目からなるカード型インデックス情報が作成され、記憶部１１ａ，１２ａ，１３ａに格納されている。尚、記憶部１１ａ，１２ａ，１３ａは、提供者ＰＣ１１，１２，１３がインターネット網ＩＮに常時接続されている場合や営業時間に合わせた時間内接続されている場合には、提供者ＰＣ１１，１２，１３に接続されたＨＤＤ等の記憶媒体に格納しても良い。
【００２４】
この際、カタログ情報には、例えば、洋服等で使用される生地に関する情報として、生地の写真データ（ＪＰＧ等）、素材、混率、品番等が互いに関連付けして複数格納されている。従って、各記憶部１１ａ，１２ａ，１３ａに格納されたカード型インデックス情報は、例えば、図２に示すように、仕入れ先名、価格、品番等の用語が該当する。
【００２５】
（参照者ＰＣ１４の機能）
参照者ＰＣ１４には、提供者ＰＣ１１，１２，１３と同様に、汎用のパーソナルコンピュータが用いられており、プロバイダ契約することによりインターネット網ＩＮに接続することが可能となっている。また、参照者ＰＣ１４は、契約したプロバイダで割り当てられた記憶部１４ａを所有しており、インターネット網ＩＮに接続されてダウンロードしたカタログ情報等が格納可能となっている。さらに、参照者ＰＣ１４は、カタログ情報に関する商品検索用の複数項目からなるカード型インデックス情報が作成され、記憶部１４ａに格納されている。尚、記憶部１４ａ，は、参照者ＰＣ１４に接続されたＨＤＤ等の記憶媒体でも良い。また、参照者ＰＣ１４は、提供者ＰＣ１１，１２，１３で作成したカード型インデックス情報又は自身が作成したカード型インデックス情報を利用して所望の商品に関するカタログ情報を提供者ＰＣ１１，１２，１３からダウンロードした際、そのカタログ情報の各商品情報毎に対応してユニークＩＤを作成し、そのユニークＩＤを参照者ＰＣのＨＤＤ（ハードディスクドライブ）等の記憶領域に格納する。
【００２６】
この際、ユニークＩＤは、どの提供者ＰＣ１１，１２，１３からダウンロードしたカタログ情報に対応した各商品情報であるかを含めて識別（ＣＰＵにて）可能となるように、ユニークＩＤを付与する。
【００２７】
また、そのユニークＩＤは、カタログ情報をダウンロードした際、例えば、ブラウザソフトを利用してカタログ情報をモニタ表示した際には、設定に応じてダウンロードした情報をＨＤＤの割り当て領域にカタログ情報が記憶（キャッシュ）されるが、商品注文等が終了して閉じた場合には、そのカタログ情報は自動的に消去され、ユニークＩＤのみが格納される。
【００２８】
これにより、例えば、ブラウザのキャッシュ設定等に関わらず、画像データ等のデータ量が多いカタログ情報は、閲覧が終了した時点で消去されるため、ＨＤＤの空き領域を確保することができるばかりでなく、再注文時等には、ユニークＩＤを利用して再度のダウンロードが可能であるため、その再注文時までに他のキャッシュが上書きされてしまったり、表示までに前回と同じ作業（業者選択・商品検索）を繰り返して行ったうえで、カタログ情報を表示しなければならないといった不具合を解消することができる。
【００２９】
（管理者サイト１５）
管理者サイト１５は、例えば、インターネットサーバー等に格納された情報に基づいてインターネット公開された情報を含んでおり、上述した各ＰＣ１１〜１４毎に作成されるカタログ情報やカード型インデックス情報を作成するためのプログラムを含む本発明に関わる電子カタログ表示システムに関わるプログラムが格納されている。
【００３０】
したがって、提供者ＰＣ１１，１２，１３及び参照者ＰＣ１４は、インターネット網ＩＮを通じて管理者サイト１５にアクセスし、契約をすることで本発明に関わる電子カタログ表示システムに関わるプログラムのダウンロードやユーザ名等の登録を行うことができる。尚、電子カタログ表示システムに関わるプログラムは、インターネットダウンロードの他、契約によるメディア等を用いて提供者ＰＣ１１，１２，１３又は参照者ＰＣ１４にインストールすることができる。
【００３１】
これにより、提供者ＰＣ１１，１２，１３及び参照者ＰＣ１４では、エリアや組合名（会社名等）、商品項目等の設定を任意に行うことができる。
【００３２】
また、電子カタログ表示システムに関わるプログラムには、例えば、業界（例えば、ファッション業界等）で使用される専門用語等も格納されているほか、業界内で曖昧で使用されているであろう曖昧語彙が関連付けして格納されている。
【００３３】
尚、この曖昧語彙の代表としては、「オレンジ」「みかん」「橙」等を同義としたり、「綿」「コットン」「オーガニック」等を同義とする。
【００３４】
これにより、例えば、提供者ＰＣ１１では、検索項目「綿」を設定し、提供者ＰＣ１２では検索項目「コットン」を設定し、提供者ＰＣ１３では検索項目「オーガニック」を設定していた場合、参照者ＰＣ１４のカード型インデックスには検索項目に「綿」しかない場合に、この「綿」が選択された際には、提供者ＰＣ１２の検索項目「コットン」及び提供者ＰＣ１３の検索項目「オーガニック」も、ヒットする。
【００３５】
次に、本発明の電子カタログ表示システムを利用した検索・表示例を説明する。尚、以下の説明においては、提供者ＰＣ１１，１２，１３、参照者ＰＣ１４、管理者サイト１５の夫々がインターネット接続環境下にあると共に、本発明の電子カタログ表示システムに関するソフトウェアがインストールされているものとする。また、管理者サイト１５では、業種単位（例えば、生地の卸し売り業者）等でのカタログ情報の検索が可能となるように、ＨＰ等が作成されている。
【００３６】
先ず、提供者（例えば、卸売り業者や協同組合等）は、インストールした本発明の電子カタログ表示システムに関するソフトウェアを利用して、自身が提供しようとする商品に関するカタログ情報を作成すると共に商品検索用のカード型インデックスを作成し、各データを提供者ＰＣ１１，１２，１３の記憶部１１ａ，１２ａ，１３ａに格納する。
【００３７】
この際、提供者は、提供する商品の種類等に応じて、検索用のタームを任意に作成することができる。
【００３８】
同様に、参照者（例えば、小売業者等）は、インストールした本発明の電子カタログ表示システムに関するソフトウェアを利用して、自身が購入しようとする商品に関する商品検索用のカード型インデックスを作成し、そのデータを参照者ＰＣ１４の記憶部１４ａに格納する。
【００３９】
この際、提供者及び参照者は、提供又は購入する商品の種類等に応じて、検索用のタームを任意に作成することができる。
【００４０】
この状態から、参照者は、インターネット回線を通じて、管理者サイト１５にアクセスし、そのＨＰから、提供者の選択を行う。
【００４１】
即ち、管理者サイト１５には、契約した提供者が複数存在しているため、その業者選択が可能となるように設定されている。
【００４２】
尚、管理者サイト１５では、参照者がアクセスしてきたリアルタイムの時点でインターネット接続環境下にある提供者ＰＣ１１，１２，１３からカード型インデックスの全てを利用者ＰＣ１４にダウンロードさせても良い。
【００４３】
これにより、参照者は、参照者ＰＣ１４のモニタに表示された複数のカード型インデックスから、利用するカード型インデックスをチェックして、チェックしたものだけをモニタにダウンロード表示することができる。
【００４４】
図２は、参照者ＰＣ１４でのモニタ表示の一例を示し、自身作成による検索用のカード型インデックス１４ｂと、選択した業者の提供者作成によるカード型インデックス１１ｂ，１２ｂ，１３ｂがダウンロード表示されている。
【００４５】
尚、図面上では、参照者が作成したカード型インデックスには、参照者名（Ｂ−２で例示）が表示され、提供者が作成したカード型インデックスには、提供者名（Ａ−１，Ａ−２，Ａ−３で例示）している。即ち、参照者名Ｂ−２は、例えば、参照者が複数のカード型インデックスを作成していた場合（又は、ソフトウェアから提供された複数のサンプルカードの選択）等、任意に選択したカード型インデックス１４ｂがモニタ表示される。
【００４６】
また、提供者名Ａ−１，Ａ−２，Ａ−３は、上述した業者選択により、参照者が提供者ＰＣ１１，１２，１３に格納されたカード型インデックス１１ａ，１２ａ，１３ａが表示される。
【００４７】
次に、参照者は、自身のカード型インデックス１４ａを利用して、所望の検索項目にチェックマークを付す。
【００４８】
すると、参照者ＰＣ１４にインストールされたソフトウェアにより、参照者ＰＣ１４は、カード型インデックス１１ａ，１２ａ，１３ａの該当するチェック項目に対して自動でチェックマークを付与する。
【００４９】
これにより、参照者は、複数あるカード型インデックス１１ａ，１２ａ，１３ａの各項目をカード毎にチェックする必要が無くなる。
【００５０】
この際、提供者が作成したカード型インデックス１１ａ，１２ａ，１３ａは、任意であるため、同じ文言で検索タームが作成されているとは限らない。
【００５１】
そこで、参照者ＰＣ１４にインストールされたソフトウェアにより、参照者ＰＣ１４は、ソフトウェア上で設定された（追加・変更可）曖昧語彙を検索し、該当する項目名が存在していた場合には、その項目名に対してもチェックマークを付す。また、該当する項目名が存在しなかった場合（例えば、カード型インデックス１３ａの『混率』）には、利用者ＰＣ１４は、その旨をモニタ表示すると共に、管理者サイト１５又は提供者ＰＣ１３に対してその旨（検索項目『混率』無）を通知する。
【００５２】
これにより、提供者ＰＣ１３の所有者は、必要であると判断した場合には、カード型インデックス１３ａに検索項目『混率』を追加することができる。
【００５３】
この状態から、検索者は、モニタ表示された検索ボタン１６を選択する。
【００５４】
これにより、管理者サイト１５は、各提供者の記憶部１１ａ，１２ａ，１３ａに格納されている全商品件数から該当する商品を検索させる。
【００５５】
各提供者ＰＣ１１，１２，１３では、インストールされたソフトウェアにより、各記憶部１１ａ，１２ａ，１３ａのカード型インデックス１１ｂ，１２ｂ，１３ｂとチェックされた検索項目とを比較すると共に、絞込み検索を行った後、登録されている全商品数とヒット件数とを管理者サイト１５又は参照者ＰＣ１４にダウンロードする。
【００５６】
これにより、参照者ＰＣは、ダウンロードされた全商品件数とヒット件数とをヒット件数一覧表１７に表示する。
【００５７】
尚、利用者は、モニタ表示された検索項目欄１８に任意の検索項目を追加して絞り込み検索を行うことも可能である。
【００５８】
そして、利用者は、該当する商品件数がどれだけあるかを確認し、良ければモニタのＯＫボタン１９をクリックする。尚、カード型インデックス１１ｂ，１２ｂ，１３ｂの個別チェックや検索項目欄１８への項目入力により、さらなる絞込み検索を行うことが可能である。
【００５９】
これにより、管理者サイト１５は、該当する商品のカタログ情報を参照者ＰＣ１４にダウンロードする旨を提供者ＰＣ１１，１２，１３に通知する。
【００６０】
各提供者ＰＣ１１，１２，１３は、その通知を受けて、該当する商品のカタログ情報を管理者サイト１５を通じて、又は、ダイレクトに参照者ＰＣ１４にダウンロードする。
【００６１】
これにより、参照者ＰＣ１４のモニタには、図３に示すように、カタログ情報の一覧表を表示することができる。尚、このカタログ表示は、図３に示したような一覧の他、公知のカタログ表示に切り替えることができる。
【００６２】
また、例えば、マウスポインタを移動することにより、例えば、生地の画像を拡大表示したり、詳細情報（例えば、混率と素材の詳細一覧など）を表示することも可能である。
【００６３】
これにより、参照者は、個別又は選択別に商品の注文等を行うことができる。
【００６４】
一方、各提供者ＰＣ１１，１２，１３と参照者ＰＣ１４との間でダウンロードされるデータとしては、例えば、図４（Ａ）に示すように、検索時においては、参照者ＰＣ１４から各提供者ＰＣ１１，１２，１３に、予め管理者サイト１５に登録設定された参照者特定のための参照者ＩＤ２１、参照者パスワード２２、検索項目名２３等がダウンロードされる。
【００６５】
また、図４（Ｂ）に示すように、カタログ情報ダウンロード時には、提供者ＰＣ１１，１２，１３から参照者ＰＣ１４に、提供者ＩＤ２４、カタログ情報２５等がダウンロードされる。
【００６６】
さらに、図４（Ｃ）に示すように、参照者が参照を終えた場合には、参照者ＰＣ１４から各提供者ＰＣ１１，１２，１３に、カタログ情報をダウンロードした際に各商品毎に対応して参照者ＰＣ１４で自動的に作成・付与したユニークＩＤ２６が、参照者ＩＤ２１及び参照者パスワード２２と共に、ダウンロードされる。
【００６７】
これにより、参照者ＰＣ１４は、カタログ情報の閲覧や注文が終了した場合には、例えば、生地写真データ等のデータ量の重いものを含め、全てのカタログ情報に関するデータを記憶部１４ａから消去することができる。
【００６８】
また、参照者ＰＣ１４は、再度の注文等を行う場合には、既に、ユニークＩＤ２６をアップロードした提供者ＰＣ１１，１２，１３に関して、管理者サイト１５を通じてユニークＩＤ２６を提供者１１，１２，１３の記憶部１１ａ，１２ａ，１３ａから個別に（提供者別に）アップロードすることにより、該当する提供者ＰＣから検索済みのカタログ情報をダウンロードしてカタログ情報の一覧表をモニタ表示することができる。
【００６９】
このように、本発明の電子カタログ表示システムでは、管理者サイト１５での一括管理では膨大なデータ量となってしまうカタログ情報は、作成した提供者ＰＣ１１，１２，１３の記憶部１１ａ，１２ａ，１３ａに格納させたままとし、カード型インデックス１１ｂ，１２ｂ，１３ｂ，１４ｂによる多数項目の絞り込み検索の後、必要なカタログ情報のみを参照者ＰＣ１４にダウンロードすると共に、カタログ表示の表示終了や注文終了時には、参照者ＰＣ１４（又は管理者サイト１５）で作成したユニークＩＤ２６のみを参照者ＰＣ１４の記憶部１４ａに格納し、他のカタログ情報のデータは提供者ＰＣ１４で自動的に削除し、再注文時（再表示時）には、既に絞込み済みのカタログ情報のみを提供者ＰＣ１１，１２，１３からダウンロードすることができ、ＨＤＤ等の負荷の軽減並びに利便性の向上を実現することができる。
【符号の説明】
【００７０】
１１…提供者ＰＣ
１１ａ…記憶部
１１ｂ…カード型インデックス
１２…提供者ＰＣ
１１ａ…記憶部
１１ｂ…カード型インデックス
１３…提供者ＰＣ
１１ａ…記憶部
１１ｂ…カード型インデックス
１４…参照者ＰＣ
１１ａ…記憶部
１１ｂ…カード型インデックス
１５…管理者サイト（管理者サイト／管理者ＰＣ）
【図１】
2010277423.tif 000003
【図２】
2010277423.tif 000004
【図３】
2010277423.tif 000005
【図４】
2010277423.tif 000006